(57)【要約】圧力逃し弁２が、弁本体２０の内部に嵌合するのこ歯付き弁管４を含んでいる。ばね保持リング８が、のこ歯部分６との相互作用によって所定位置に保持されるように弁管４の外側に嵌合する。弁２の開放圧力は、のこ歯部分６上のばね保持リング８の位置を変えることによって変更される。種々の異なるばねタイプおよび構成が、ばね保持リング８の位置と関連して使用することができ、それによって組み立ての間に弁の多数の異なる開放圧力の１つが選択される。
2005528567.tif 000002
【特許請求の範囲】
【請求項１】
圧力逃し弁であって、
弁本体と、
前記弁本体に受け入れられるように構成されたのこ歯付き弁管と、
前記のこ歯付き弁管の一端の所望位置に保持される弁シール・キャリアと、
前記のこ歯付き弁管の外径上に嵌合されるばね保持リングであって、該ばね保持リングは組み立ての間に前記のこ歯付き弁管上の所望位置に位置決めされ、それによって前記圧力逃し弁のおおよその開放圧力が設定されるばね保持リングと、
前記ばね保持リングによって抑えつけられるように、前記のこ歯付き弁管の外径上に位置決めされる弁ばねと
を有する圧力逃し弁。
【請求項２】
前記弁シール・キャリア上に取り付けられるエラストマー弁シールであって、前記弁ばね、前記ばね保持リングおよび前記弁本体の相互作用によって前記弁本体上のシーリング表面に対して保持されて前記圧力逃し弁を密閉するエラストマー弁シールをさらに有する請求項１に記載の圧力逃し弁。
【請求項３】
前記弁シール・キャリアが、前記エラストマー弁シールを受け入れる溝をさらに有している請求項２に記載の圧力逃し弁。
【請求項４】
前記のこ歯付き弁管ののこ歯付き端部上に形成された変形スロットであって、前記ばね保持リングを受け入れるように前記のこ歯付き弁管の変形を可能にする変形スロットをさらに有する請求項１に記載の圧力逃し弁。
【請求項５】
前記のこ歯付き弁管が、該のこ歯付き弁管の弁シール・キャリア端部にスロットをさらに有し、該スロットは十分に高い圧力に応答して前記圧力逃し弁を通る流体流れを許容する請求項１に記載の圧力逃し弁。
【請求項６】
前記弁シール・キャリアが、前記のこ歯付き弁管の穴と、前記弁シール・キャリア上に位置付けられた嵌合突出部との相互作用によって、前記のこ歯付き弁管上に保持される請求項１に記載の圧力逃し弁。
【請求項７】
前記圧力逃し弁は、組み立ての間に種々の異なるタイプの弁ばねの１つを受け入れるように構成され、前記弁ばねのタイプは、前記圧力逃し弁の所望開放圧力に基づいて選択される請求項１に記載の圧力逃し弁。
【請求項８】
前記弁本体が、「Ｔ」字取付具を受け入れるように構成されている請求項１に記載の圧力逃し弁。
【請求項９】
前記弁本体が、雄雌型ルアー取付具を受け入れるように構成されている請求項１に記載の圧力逃し弁。
【請求項１０】
流体流路を通る流体の流れを制御するための開放圧を有する圧力弁であって、
シーリング表面を有する弁本体と、
弁管と、
前記弁管上に取り付けられる弁シールと、
前記シーリング表面に対して前記弁棒を保持する力を作り出すためのばねと、
前記ばねによって作り出される力を調整可能にするばね張力セレクタと
を有する圧力弁。
【請求項１１】
前記ばね張力セレクタが、前記弁管の外径上に位置付けられた一連ののこ歯部分と相互作用するばね保持リングであって、それによって前記ばねによって作り出される力が選択的に制御されることを可能にするばね保持リングをさらに有する請求項１０に記載の弁。
【請求項１２】
前記弁シールが、かかり付き突出部を用いて前記弁管上に取り付けられている請求項１０に記載の弁。
【請求項１３】
前記ばねが、異なる巻数の一組のばねから選択され、且つ、前記弁の所望開放圧力に基づいて該一組のばねから選択される請求項１０に記載の弁。
【請求項１４】
前記ばねが、異なるゲージのワイヤから構築された一組のばねから選択され、且つ、前記弁の所望開放圧力に基づいて該一組のばねから選択される請求項１０に記載の弁。
【請求項１５】
前記弁本体が入口および出口をさらに有しており、該入口および出口の一方が雌型ルアー取付具を受ける入れように設計され、他方が雄型ルアー取付具を受け入れるように設計されている請求項１０に記載の弁。
【請求項１６】
前記弁本体が、「Ｔ」字取付具に接続するするように構成されている請求項１０に記載の弁。
【請求項１７】
前記弁本体が、かかり付きホース・フィッティングを受け入れるように構成されている請求項１０に記載の弁。
【請求項１８】
所定数ののこ歯部分を備えた弁管を有する圧力逃し弁の開放圧力を、組み立ての間に設定する方法であって、前記弁管がばね保持リングと相互に作用してばね生成力を弁シールに適用する開放圧力設定方法において、
所望開放圧を選択する段階と、
のこ歯部分位置と圧力逃し弁の開放圧力との間の事前に決められた関係に基づいて前記所望開放圧力に対応した歯部分を決定する段階と、
前記決定したのこ歯部分上に前記保持リングを位置付ける段階と
を含む開放圧力設定方法。
【請求項１９】
ばね力を発生させるために使用するばねを、前記所望開放圧に基づいて、一組のばねから選択するステップをさらに含む請求項１８に記載の方法。
【請求項２０】
前記ばねを選択するステップが、異なる巻数の一組のばねからばねを選択する段階をさらに含み、該選択される巻数は、前記圧力逃し弁の所望開放圧力に基づいている請求項１９に記載の方法。
【請求項２１】
前記ばねを選択するステップが、異なるゲージのワイヤから構築された一組のばねからばねを選択する段階をさらに含み、該選択されるゲージのワイヤは、前記圧力逃し弁の所望開放圧力によって決まる請求項１９に記載の方法。
【発明の詳細な説明】
【技術分野】
【０００１】
本願は、２００２年６月１日に出願した仮出願第６０／３８４，８５２号の利益を要求するものであり、その開示を参照により本明細書に組み込む。
【０００２】
本発明は、広義の概念では、流体流路を通る流体の流れを制御するための弁に関するものである。より詳細には、本発明は、弁の組み立ての際に弁を開くのに必要な圧力を簡単に調整することのできるモジュール設計の圧力逃し弁を対象としたものである。
【背景技術】
【０００３】
現在、圧力逃し弁はいくつかの問題を有している。それらの問題の１つは、弁を押し割る（ｃｒａｃｋ；クラッキング）か、開くのに必要な正確な圧力に関するものである。残念なことに、従来の圧力逃し弁の設計において、実際の押し割りまたは弁開放圧力は安定しておらず容易に予測できないことが分かっている。多くの例において、これは主に、機械的ばねによって直接支持されたエラストマー・シール・ステムに依拠する弁構成が原因である。このエラストマー・シールの材料特性の変化は、ばねの機械的特性の変化と直接的に結びついて、各弁アセンブリの開放動作のための軸線方向荷重条件の許容誤差の積み重ねを生じ、これは連続製造において、不可能でないにしても、制御が困難である。
【発明の開示】
【発明が解決しようとする課題】
【０００４】
したがって、本発明の目的は、上記従来技術の欠点を克服する改良された方法および装置を提供すること、および圧力逃し弁技術の発達に著しく貢献する改良を提供することである。
【０００５】
本発明の他の目的は、弁の組み立ての間に選択可能な開放圧力を有する圧力逃し弁を提供することである。
【０００６】
本発明の他の目的は、Ｔ字取付具、ストレート管取付具、マニホルドなどといった種々の異なるタイプの取付具とともに使用するように適合可能なモジュール・タイプの弁を提供することである。
【０００７】
本発明の他の目的は、弁の組み立ての際に正確に予測され得る開放圧力を有する弁を提供することである。
【０００８】
本発明の他の目的は、医療／臨床用途に好適な圧力逃し弁を提供することである。
【０００９】
本発明の他の目的は、自己整列型弁シールを備えた弁を提供することである。
【００１０】
本発明の他の目的は、より速い流れおよび高い圧力の応用例のために容易に拡張し得る、拡大縮小が可能な設計の弁を提供することである。
【課題を解決するための手段】
【００１１】
前記は、本発明の適切な目的のいくつかを略述している。これらの目的は、意図する発明のより顕著な構成および応用例のいくつかを単に説明するものであると解釈されたい。多くの他の有益な結果は、開示の発明を異なる形で適用すること、または開示の範囲内で本発明を修正することにより得ることができる。したがって本発明の他の目的およびより十分な理解は、添付の図面と併せて特許請求の範囲によって定義される本発明の範囲に加えて、本発明の課題を解決するための手段および好ましい実施例の詳細な説明を参照することによって可能である。
【００１２】
本発明の好ましい一実施例は、圧力逃し弁を対象とするものである。圧力逃し弁は、弁本体および弁本体によって受け入れられるように構成されたのこ歯付き（ｓｅｒｒａｔｅｄ）弁管を含む。弁シール・キャリアが、のこ歯付き弁管内の穴と、弁シール・キャリア上に位置する嵌合突出部との相互作用によって、のこ歯付き弁管の一端上の所望位置に保持される。エラストマー弁シールが弁シール・キャリアの溝内に取り付けられ、弁本体上のシーリング表面と相互作用して弁を密閉する。ばね保持リングがのこ歯付き弁管の外径上に嵌合される。ばね保持リングは、組み立ての際に圧力逃し弁のおおよその開放圧力を設定するようにのこ歯付き弁管上の所望位置に位置決めされる。変形スロットがのこ歯付き弁管ののこ歯付き端部に形成され、それによってのこ歯付き弁管がばね保持リングを受け入れるように変形可能にされている。弁ばねが、ばね保持リングによって拘束されるようにのこ歯付き弁管の外径上に配置されている。のこ歯付き弁管の弁シール・キャリア端部内のスロットは、十分に高い圧力に応答して流体流れが圧力逃し弁を通ることを可能にする。圧力逃し弁は、組み立ての際に、種々の異なるタイプの弁ばねのうちの１つを受け入れるように構成される。使用する弁ばねのタイプは、圧力逃し弁の所望開放圧力に基づいて選択される。弁本体は、「Ｔ」字取付具または雄雌型ルアー取付具（ｌｕｅｒ  ｆｉｔｔｉｎｇ）などの外部取付具を受け入れるように構成される。
【００１３】
本発明の他の実施例は、流体流路を通る流体の流れを制御するための開放圧力持つ圧力弁を対象とするものである。弁は、シーリング表面を有する弁本体および弁管を含む。弁シールは、かかり付き（ｂａｒｂｅｄ）突出部の使用によって弁管上に取り付けられる。ばねは、弁シールをシーリング表面に押圧して保持する力を発生する。ばね張力セレクタが、ばねによって引き起こされる力を調整可能にする。好ましくは、ばね張力セレクタは、弁管の外径上に配置された一連ののこ歯部分と相互に作用してばねによって引き起こされる力を選択的に調整可能にするばね保持リングである。ばねは、弁の所望開放圧力に基づいて、異なる巻数または異なるゲージのワイヤを有する一組のばねから選択される。弁本体は、好ましくは、雌型ルアー取付具および雄型ルアー取付具をそれぞれ受け入れるように設計されてた入口および出口を有している。或いは、弁本体は、かかり付きホース・フィッティングを受け入れるように構成されてもよい。
【００１４】
本発明の他の実施例は、所定数ののこ歯部分が付いた弁管を有する圧力逃し弁の開放圧力を組み立ての間に設定する方法を対象とするものである。弁管は、ばね保持リングと相互に作用して、ばねによって引き起こされる力を弁シールにかける。この方法は、所望の開放圧力を選択することから始まる。次いで、のこ歯部分位置と圧力逃し弁の開放圧力との事前定義された関係に基づいて、所望開放圧力に対応する歯付き部を決定する。保持リングを、決定したのこ歯部分上に位置決めする。ばね力を引き起こすために使用するばねを、所望の開放圧力に基づいて一組のばねから選択することによって、開放圧力を変えることもできる。この一組のばねは、異なる巻数を有し、異なるゲージのワイヤから構築されている。
【００１５】
上述の実施例は、従来技術に比べていくつかの利点を有する。ばね保持リングは、のこ歯部分とともに働いて組み立てのときに様々な開放圧力の選択を可能にする。さらに多くの開放圧力の変更が、異なるタイプのばねなどのモジュール構成要素の使用によってもたらされる。上記およびその他の利点は、以下および上記により具体的に述べられている。
【００１６】
上記には、以下にある本発明の詳細な説明がより良く理解されそれによって当該分野への本発明の貢献がより十分に明確にされ得るために、本発明のより適切で重要な特徴がより幅広く略述されている。本発明のさらに他の特徴は、本発明の特許請求の範囲において述べられている。概念および開示の特定の実施例は、本発明と同じ目的を実施するために他の構造を修正または設計するための基礎として容易に利用されてよいものと当業者には理解されよう。そうした等価の構造は、添付の特許請求の範囲で述べる本発明の精神および範囲から逸脱しないことも当業者には理解されたい。
【００１７】
本発明の特徴および目的をより十分に理解するために、添付の図面とともに以下の詳細な説明を参照されたい。
【実施例】
【００１８】
図面のいくつかの図を通して、同様の参照符号は同様の部分を示す。
【００１９】
図１を参照すると、本発明の好ましい一実施例が示されている。この新規な逃し弁２は、のこ歯付き中央弁管４からなるカートリッジ・タイプの設計である。弁管４は、その外径に沿って環状のこ歯部分６を有している。環状のこ歯部分６は、弁管４の外径上に嵌合されるばね保持リング８のための止め具として機能する。この多数ののこ歯部分６の目的は、特定ののこ歯部分６に対応する所望の軸線方向位置にリングが容易にスナップ止めされることにより、ばね保持リング８の位置が調整され得るようにすることである。弁２の組み立ての間にばね保持リング８の位置を調整することにより、弁ばね１０を徐々に圧縮または予圧することができる。弁ばね１０の圧縮が増大すると、弁２を開放するのに必要な圧力が増大する。図１の実施例において使用されているのこ歯部分６は、軸線方向の一方向にのみ動作するように設計されている。これによりばね保持リング８は、のこ歯部分６上のその設定位置から外れないようになされる。のこ歯付き弁管４の外径上に弁ばね１０を配置することは、弁ばね１０が弁２の流体流路の外にあるという点で有利である。
【００２０】
弁ばね１０として、より大きい線径または小さい線径、様々なコイル巻線数、あるいは様々な自由長の、様々なばねを使用することができる。これがばね保持リング８の調整機能と組み合わされて、幅広い可能性のある弁２の動作圧力を提供する。ばね保持リング８を調整することにより、弁ばね１０の幅広い製造公差に起因する弁２の開放圧力の違いを補正することが可能になる。好ましくは、異なるピッチ円直径、自由長および線径の標準構造を有するばねが使用される。例えば、ばねは、０．０２５ｍｍ（０．００１インチ）刻みで０．２５４〜０．８１３ｍｍ（０．０１０〜０．０３２インチ）までの直径を有し、３〜１０有効数の６種類のバリエーションを有するワイヤを使用してもよい。これらの異なるタイプのばねは増分保持リング設定とともにチャート化され、それによって記載された各ばねに対する組み立て予圧が提供される。図１に示された弁アセンブリ２は、固定保持リング設定について５つの選択を提供しており、これは上記実施例にしたがって実施可能な１７６のばね構造と相まって、８８０の弁動作圧力の選択を可能にする。したがってばね保持リング８ののこ歯部分設定、ならびに弁ばね１０として用いるばねの種類を変更することにより、図１の弁２は、かなりの数の異なる開放圧力を有するような構成にされることができる。所定のデータ・チャートを使用して弁２の開放圧力を推定することが可能であるが、実際の動作圧力はやはり、開放圧力弁がきわめて重要である応用例において試験検証を行うべきである。
【００２１】
図１の弁２の弁シーリングは、「フローティング」または自己整列型の弁シール・キャリア１４に取り付けられたエラストマーリング１２によって行われる。弁シール・キャリア１４は、７°（全体で１４°）の動きが可能である。弁シール・キャリア１４は、のこ歯付き弁管６の近位端内の横断スロットおよびクリアランス・ホール１６構成を通して包囲保持されている。弁シール・キャリア１４構成要素上の突起状のかかり付き（ｂｅｒｂｅｄ）端部１８によって、組み立ての際にキャリア１４構成要素が弁管６内に簡単にスナップ止めされ得る。組み付けた通常の閉位置において、弁管６は、弁カートリッジ本体２０の内径により円筒形に強いられ、それによって弁シール・キャリア１４を解放するように拡張または歪むことが防止されている。閉じているとき、エラストマー弁シール１２材料は、弁カートリッジ本体２０の内部で環状のシール表面２２に対して押しつけられて保持されている。流体圧力がばね張力に打ち勝って弁シール・キャリア１４および弁管４を弁座２２から軸線方向に離れて動くように押したときに弁２が開く。流体流れは、のこ歯付き弁管４の遠位端に等間隔に配置された４つの長手方向スロット２４を通ることによって可能にされる。この構成により、流体圧力は弁シール構成要素１２および１４上に直接働き、これは次に弁ばね１０の機械的な力に直接的に応答する。
【００２２】
図１に図示する本発明の実施例は、従来技術に比べて有利な点をいくつか有している。この弁のモジュール設計は、選択された構成要素を単純に修正することによって弁の特性を容易に変更することを可能にする。したがって幅広い圧力に対応した圧力逃し弁を提供するために、一連の「標準」構成要素が利用可能である。さらに、圧力逃し弁カートリッジ２の最終アセンブリは、（圧縮成形の一体型弁シールであるかどうかにかかわらず）接着接合またはプラスチック溶接を必要としないことが好ましい。そうした一実施例において、カートリッジ２のすべての構成要素は所定位置にスナップ止めされている。「Ｔ」字取付具などの他の構成要素への逃し弁カートリッジ２の組み付けは、接着または溶接接合工程により行われてもよい。
【００２３】
図２（ａ）〜図２（ｃ）を参照すると、本発明の一実施例に従って構築されたばね保持リング８の動作がより詳細に示されている。弁ばね１０は、加圧流体がのこ歯付き弁管４内に存在しないときに弁シール・キャリア１４が弁座２２に対して保持されるように選択される。そうでなければ、弁２は、弁２を開くためにゼロの追加圧力を必要とすることになるので、常に開位置にあることになる。ばね保持リング８が図２（ａ）に示されているように弁管４上ののこ歯部分６に関して低く位置決めされたときには、弁シール・キャリア１４を弁座２２から離昇するのに必要な圧力は比較的小さい。これは、図２（ａ）に示されているように、ばね保持リング８がのこ歯付き管４上の低い位置に配置されたときには、弁ばね１０がわずかに圧縮されるだけだからである。したがって、さらなる圧縮に対する弁ばね１０の抵抗もまた比較的小さい。図２（ｂ）では、ばね保持リング８は、弁管４上ののこ歯部分６を２つ分、より高く移動されている。のこ歯付き弁管４上のばね保持リング８の上昇により弁ばね１０が圧縮され、それによって弁シール・キャリア１４を弁座２２から離昇するのに比較的大きな力が必要となる。したがって圧力逃し弁２の開放圧力は増大する。最後に、図２（ｃ）には、のこ歯付き弁管４の最も高いのこ歯部分６上に位置決めされたばね保持リング８が示されている。図２（ｃ）の位置において、弁ばね１０は、図２（ａ）または図２（ｃ）の場合よりも圧縮されている。したがって図２（ｃ）の弁は、弁シール・キャリア１４を弁座２２から離昇するため、すなわち弁を開けるために、最も高い流体圧力を必要とする。
【００２４】
図３を参照すると、本発明の一実施例に従って使用される最も好ましい弁管３０が示されている。弁管３０は、中空の円筒形を含む高分子成形構成要素であることが好ましい。管の遠位端３８上に軸線方向に間隔を置いて配置された５つののこ歯部分３２は、図４により詳細に示された嵌合ばね保持リングに対して機械的な連結を提供する。のこ歯部分３２を通る、等間隔に配置された２つの長手方向スロット３４が、管３０の円周方向の変形を可能にし、それによって軸線方向に間隔を置いて配置されている各のこ歯部分３２にばね保持リングがスナップ止めされることを可能にしている。管３０の近位端４０は、近位端４０上に延びて流体流れのための流路を提供する、等間隔に配置された４つのスロット３６を有する。近位端４０にある中央穴４２およびこの穴を通る片寄りスロット４４は、図１に示され図４により詳細に示されている弁シール・キャリア１４およびシール・アセンブリ１２に機械的な係合を提供する。管３０の近位端４０の外径は、図１に示されている弁カートリッジ本体構成要素２０の内径との滑り嵌めをもたらすような寸法とされている。弁管３０の近位端４０は、それがアセンブリの通常の閉位置にあるとき、弁カートリッジ・ハウジング２０の内径によって、外側に変形せず且つ弁シール・キャリア１４を開放しないようになされている。
【００２５】
図４を参照すると、本発明の一実施例で使用する弁シール・キャリア５０およびばね保持リング５２の実施例が示されている。弁シール・キャリア５０は、好ましくは、成形高分子構成要素であり、円盤またボタン形の近位端５４を備えている。近位端５４は、溝５３内に取り付けられるエラストマー・シール材５６のための硬い裏当てとして機能する。この溝５３は、円盤の下の外面を表している。溝５３は、エラストマー・シール材５６を若干引き伸ばすように寸法設定されており、それによってシール材がシール・キャリア５０から簡単に係合解除しないようになされている。シール・キャリア５０の遠位端は、４つの溝付きの尖ったかかり構造（引っかかり構造）５８からなる。構造５８は、それをシール・キャリア５０のヘッド５４に取り付けるための短い長さの支持軸６０を有している。かかり付き端部５８により、シール・キャリア５０を弁管３０に挿入し、それを弁管２０とともにアセンブリ内に固定し、弁カートリッジ本体２０のシール表面２２に自己整列するように数度の角度変位を可能にする手段が提供される。アセンブリ内のシール・キャリア５０およびエラストマー・シール機能５６は、流体圧力に応答して軸線方向に移動し、弁カートリッジ本体２０のシール表面２２から離れ、それによって流体の流通を可能にする。
【００２６】
ばね保持リング５２は、好ましくは、射出成形高分子材料でできている連続的なトロイド形６４である。リング６４は、Ｔ字形弁またはストレート管などのいくつか異なる弁ハウジング構造のいかなる構造に対しても滑り嵌め径として機能する滑らかな外径表面６６を備えている。リング５２の内径６８は、弁管３０の遠位端３８上にあるのこ歯部分３２に係止係合するように働く突起した角のあるリブ７０を特徴とする。このリブ７０は、リング５２の脱落およびそれに引き続いて生じる所望のばね圧力の損失を防ぐために、リング５２が弁管３０の近位端４０の方にのみ移動することができるように形成されている。ばね保持リング５２は、アセンブリ状態でつる巻ばね１０に係合する溝５５であって、弁の動作（押し割り）圧力を決定するためにばね１０を所望の予圧圧縮長さに圧縮するためにも使用される溝５５を有している。保持リング５２は、好ましくは、弁管３０の所望の軸線方向のこ歯部分３２に漸次単純にスナップ止めすることにより弁管３０に組み付けられ、それによって機械ばね１０の所望の圧縮長（および予圧）が確立される。
【００２７】
図５を参照すると、弁カートリッジ・ハウジング８０がより詳細に示されている。成形高分子構成要素である弁カートリッジ・ハウジング８０には、弁管３０の近位端４０に滑り嵌めされる内径８２が設けられている。内径８２はガイドとして働き、それによってその内部で、管３０が取り付けられた弁シールおよびキャリア・アセンブリ５０に作用する開放圧力に応答して、弁管３０が軸線方向に動くことができるようになっている。ハウジングのより大きな内径８４は、その遠位端に段付き表面８６を有している。段付き表面８６は、エラストマー・シール５６とともにシール境界面として機能し、閉位置において弁を通る流体が通過できないようにしている。弁カートリッジ・ハウジング８０の近位端には、位置決め内径８４および嵌合表面が設けられており、そこでストレート管取付具８８、ルアー取付具９０またはかかり付き管接続具（図示せず）などの種々の標準的な端部接続取付具をハウジング８０に恒久的に取り付けることができる。音波溶接、熱溶接、適当な接着剤または他の手段により、これらの取付具をハウジング８０に取り付けることができる。弁カートリッジ・ハウジング８０の遠位端は、外径９２を備えている。外径９２は、「Ｔ」字９４、ストレート管９６などの形の種々の弁本体またはマニホルド（図示せず）、若しくは弁カートリッジ８０を収容する適当な嵌合機能を含む任意の構成要素のどんなものに対しても位置決め径（ｌｏｃａｔｉｎｇ  ｄｉａｍｅｔｅｒ）として働くように構成されている。遠位端の外径９２は、近位端の方に向かって延び、嵌合構成要素との音波若しくは熱溶接、または接着剤、若しくは他の恒久的接合に好適な表面を提供する境界面９８内で終端する。カートリッジ・ハウジング８０の最遠位端は、機械ばね１０のための止め具として働く支持表面１００で終端する。
【００２８】
弁ばね１０は、好ましくは、非研磨正方形端部を有するつる巻ワイヤ圧縮ばねである。ばね１０は、弁シール５６に圧力をかけてそれを閉位置の方に偏倚させるように働く。流体圧力に反応して、弁シールおよびキャリア・アセンブリ５０がカートリッジ・ハウジング８０内の閉位置から軸線方向に移動し、それによってばね１０が保持リング８と弁カートリッジ・ハウジング８０の遠位端との間で圧縮される。この弁カートリッジ・アセンブリでは、異なる線径、巻数および非圧縮（自由）長からなる種々の異なる圧縮ばね１０が置き換えられることができる。ばね１０の寸法は、弁管３０の外径および弁カートリッジ本体８０の小さいほうの外径によって画定される間隔を越えない線径に限定される。必要に応じて、ばねワイヤ１０の材料は、医療用のステンレス鋼などの適切な定評のある材料であるように選択されてもよい。実際には、各種の様々な寸法のばね１０が、ばねサイズとアセンブリ状態でのばね保持リング８の軸線方向位置に関して分類およびチャート化され、それによって組み立てられた弁カートリッジの開放圧力（クラッキング圧力）を決定している。
【００２９】
上記で述べた特徴に加えて、本発明の開示は、添付する特許請求の範囲に含まれる対象も含んでいる。本発明をある程度の特徴とともにその好ましい形態について述べてきたが、好ましい形態についての本開示は、例示としてのみなされたものであり、構造の細部における多数の変更並びに部品の組み合わせおよび構成が、本発明の精神および範囲から逸脱することなく用いられ得ることを理解されたい。
【００３０】
以上、本発明が説明された。
【図面の簡単な説明】
【００３１】
【図１】本発明の一実施例の絵図表現である。
【図２（ａ）】弁の逃し圧を調整することができる１つの方法を示す本発明の実施例の絵図表現である。
【図２（ｂ）】弁の逃し圧を調整することができる１つの方法を示す本発明の実施例の絵図表現である。
【図２（ｃ）】弁の逃し圧を調整することができる１つの方法を示す本発明の実施例の絵図表現である。
【図３】本発明の一実施例に従って構築された弁管の絵図表現である。
【図４】本発明の一実施例に従って構築された弁シールおよびばね保持リングの絵図表現である。
【図５（ａ）】弁カートリッジ本体および１つのタイプの取付具の絵図表現である。
【図５（ｂ）】弁カートリッジ本体および１つのタイプの取付具の絵図表現である。
【図１】
2005528567.tif 000003
2005528567.tif 000004
【図３】
2005528567.tif 000005
【図４】
2005528567.tif 000006
2005528567.tif 000007
【国際調査報告】
2005528567.tif 000008